(57)【要約】【課題】  ピッキング等の不正操作を行うのが難しい構成のシリンダー錠を得る。【解決手段】  施錠および解錠のための鍵溝１５を有して軸方向に伸びる挿入部１２を備える鍵部材１と、挿入部１２を挿入させる鍵挿入孔２１ｂを有した内筒２０、内筒を覆って相対回転可能に設けられた外筒３０、および内筒と外筒の相対回転を規制・許容するロック機構５０を備えた鍵本体２とからシリンダー錠ＣＹＫが構成される。挿入部１２の挿入方向先端部に回転伝達部１７が設けられ、基端側にガイド部が設けられ、鍵挿入孔の奥側端部に回転伝達部１７と係合して鍵部材１に加えられた回転力を内筒２０に伝達する係合ピン２５が設けられ、係合ピン２５より入り口側にガイド部を回転可能に受容して挿入部１２の挿入方向の移動をガイドするガイド孔部が設けられている。【選択図】  図２
2017008599.tif 000002
【特許請求の範囲】
【請求項１】
施錠および解錠のための作用部を有して軸方向に伸びる挿入部を備える鍵部材と、
前記挿入部を挿入させる鍵挿入孔を有した内筒、前記内筒を覆って相対回転可能に設けられた外筒、および前記作用部と協働して前記内筒と前記外筒の相対回転を規制・許容するロック機構を備えた鍵本体とから構成されるシリンダー錠において、
前記挿入部には、挿入方向先端部に回転伝達部が設けられるとともに、前記回転伝達部より基端側にガイド部が設けられ、
前記鍵挿入孔の奥側端部に前記回転伝達部と係合して前記鍵部材に加えられた回転力を前記内筒に伝達する係合受容部が設けられ、前記係合受容部より入り口側に前記ガイド部を回転可能に受容して前記挿入部の挿入方向の移動をガイドするガイド孔部が設けられていることを特徴とするシリンダー錠。
【請求項２】
前記挿入部を前記鍵挿入孔に挿入するときに、前記回転伝達部は前記ガイド孔部を通過可能で、挿入中間段階では前記ガイド部が前記ガイド孔部に回転可能に受容されて挿入方向の移動がガイドされ、挿入終了段階において前記回転伝達部が前記係合受容部と係合するように構成されたことを特徴とする請求項１に記載のシリンダー錠。
【請求項３】
前記係合受容部が断面円形の筒状もしくは断面多角形の柱状空間形状であることを特徴とする請求項１もしくは２に記載のシリンダー錠。
【発明の詳細な説明】
【技術分野】
【０００１】
本発明は、鍵、特にピンタンブラー錠、ディスクシリンダー錠など種々の形式のものがあるシリンダー錠に関する。
【背景技術】
【０００２】
鍵は施錠対象物の開放防止に用いられるものであり、不正解錠を防止する機能が求められる。シリンダー錠においても、同様であり、例えば、特許文献１には、扉を開けて鍵の交換作業を行うにも拘わらず、迅速な交換を可能として保安性が改善されたシリンダー錠が開示されている。従来から、不正解錠を防止するための種々の工夫が図られているが、それに応じて構造が複雑化したり、鍵が大型化したりするのを抑える必要がある。このようなことから、特許文献２には、外形形状を変えることなく、且つ部品点数を増加することなく、解錠のための変位部位を増やすことができるシリンダー錠が開示されている。
【先行技術文献】
【特許文献】
【０００３】
【特許文献１】特開２００７−３０３２７５号公報
【特許文献２】特開２００９−２６３９６１号公報
【発明の概要】
【発明が解決しようとする課題】
【０００４】
ところで、シリンダー錠の不正解錠操作としてピッキングによる不正解錠が知られている。従来のシリンダー錠は、施錠および解錠を行うために板状の鍵部材（キー部材）を用いるものが一般的であり、鍵部材は矩形断面形状である。このため、鍵本体を構成する内筒部に、断面鍵部材を挿入するための矩形状の鍵穴（鍵挿入孔）が挿入方向に伸びて形成されている。一般的に、ピッキングの操作としては、テンションツールを鍵穴に差し込んで内筒部に解錠方向の回転トルクを付与させながら、ピンタンブラー錠のピンや、ディスクシリンダー錠のディスクを一つずつ操作して不正解錠するのが一般的である。この場合、鍵穴が矩形断面形状であるとテンションツールを挿入して内筒部に引っかけて回転トルクが加え易く、不正解錠がそれだけ容易であった。
【０００５】
このような不正解錠防止のため、鍵穴の入口部を複雑なキーウェイにするということが従来から知られているが、この場合にはキーウェイを設けるために特別な加工設備が必要であり、部品形状および内部機構が複雑になるという問題がある。
【０００６】
さらに、鍵部材を鍵穴に一部差し込んだ状態（半挿入した状態）で、鍵を回転させるとその回転トルクが内筒に作用する構成である。施錠もしくは解錠するときには一般的に、鍵を施錠もしくは解錠方向に回しながら鍵穴に差し込みがちであり、このときには内筒部に回転負荷をかけたまま施錠もしくは解錠することになる。このため、施錠もしくは解錠操作をスムーズに行えないというおそれや、内部構造が摩耗したり、損傷したりするおそれがあるという問題もある。
【０００７】
本発明は、このような問題に鑑みてなされたものであり、テンションツールを鍵穴（鍵挿入孔）に差し込んで内筒部に解錠方向の回転トルクを付与させるピッキング等の不正操作を行うのが難しい構成のシリンダー錠を提供することを目的とする。
【０００８】
本発明はまた、鍵をキー挿入孔に部分的に差し込んだ状態（半挿入状態）では、鍵を回転させてもその回転トルクが内筒に作用することがないような構成のシリンダー錠を提供す
ることを目的とする。
【課題を解決するための手段】
【０００９】
このような目的を達成するため、本発明に係るシリンダー錠は、施錠および解錠のための作用部（例えば、実施形態の鍵溝１５）を有して軸方向に伸びる挿入部を備える鍵部材と、前記挿入部を挿入させる鍵挿入孔（鍵穴）を有した内筒、前記内筒を覆って相対回転可能に設けられた外筒、および前記作用部と協働して前記内筒と前記外筒の相対回転を規制・許容するロック機構（例えば、実施形態のアンダーピン５１、ドライバーピン５２、スプリング５３等により構成される機構）を備えた鍵本体とから構成され、前記挿入部には、挿入方向先端部に回転伝達部が設けられるとともに、前記回転伝達部より基端側にガイド部が設けられ、前記鍵挿入孔の奥側端部に前記回転伝達部と係合して前記鍵部材に加えられた回転力を前記内筒に伝達する係合受容部（例えば、実施形態の駆動部材取付孔２４に挿入された係合ピン２５により構成される部分）が設けられ、前記係合受容部より入り口側に前記ガイド部を回転可能に受容して前記挿入部の挿入方向の移動をガイドするガイド孔部が設けられている。
【発明の効果】
【００１０】
このような構成のシリンダー錠によれば、係合受容部より入り口側にガイド部を回転可能に受容して鍵部材の挿入方向の移動をガイドするガイド孔部が設けられているので、テンションツールを鍵挿入孔に差し込んで内筒部に解錠方向の回転トルクをかけづらく、ピッキング等の不正操作を防止することができる。また、鍵部材を鍵挿入孔に部分的に差し込んだ状態（半挿入状態）では、鍵部材のガイド部がガイド孔部に回転可能に受容される状態となるため、鍵部材から内筒に回転トルクが作用しない。このため、施錠もしくは解錠操作をスムーズに行うことができ、施錠もしくは解錠時に、内部構造を摩耗させたり、損傷させたりするおそれがない。
【００１１】
なお、上記構成のシリンダー錠において、前記挿入部を前記鍵挿入孔に挿入するときに、前記回転伝達部は前記ガイド孔部を通過可能で、挿入中間段階では前記ガイド部が前記ガイド孔部に回転可能に受容されて挿入方向の移動がガイドされ、挿入終了段階において前記回転伝達部が前記係合受容部と係合するような構成とすることが好ましい。
【００１２】
このように構成することにより、鍵部材の挿入中間段階では、鍵部材のガイド部がガイド孔部に回転可能に受容されて挿入方向にガイドされ、挿入終了段階で回転伝達部が係合受容部と係合して鍵部材の回転操作に応じて内筒に回転トルクを伝えることができ、施錠および解錠操作を確実に行うことができる。これにより、挿入中間段階では、鍵部材から内筒に回転トルクが作用することなく鍵部材をスムーズに挿入可能で、施錠もしくは解錠操作がスムーズとなり、施錠もしくは解錠時に、内部構造を摩耗させたり、損傷させたりするおそれもない。
【００１３】
さらに、上記構成のシリンダー錠において、前記係合受容部が断面円形の筒状もしくは断面多角形の柱状空間形状であることが好ましい。これによりテンションツールを鍵挿入孔に差し込んで内筒部に解錠方向の回転トルクをかけるのが非常に難しくなり、ピッキング等の不正操作をより確実に防止することができる。テンションツールにより内筒部に解錠方向の回転トルクをかけ難くするという観点からは、多角形の数が多い方が好ましく、角度が鈍角となるように五角形以上の柱状空間形状とするのが好ましい。
【図面の簡単な説明】
【００１４】
【図１】本発明を適用したシリンダー錠の全体外観を示す斜視図である。
【図２】前記シリンダー錠の分解斜視図である。
【図３】前記シリンダー錠をキーが未挿入状態で示す軸方向の断面図である。
【図４】前記シリンダー錠のロック機構部をキーが未挿入状態で示す軸直角方向の断面図である。
【図５】前記シリンダー錠をキーが半挿入状態で示す軸方向の断面図である。
【図６】前記シリンダー錠ロック機構部をキーが半挿入状態で示す軸直角方向の断面図である。
【図７】前記シリンダー錠をキーが完全挿入状態で示す軸方向の断面図である。
【図８】前記シリンダー錠ロック機構部をキーが完全挿入状態で示す軸直角方向の断面図である。
【図９】前記シリンダー錠の係合部をキーが完全挿入状態で示す軸直角方向の断面図である。
【発明を実施するための形態】
【００１５】
以下、実施形態について、図面を参照しながら説明する。本実施形態に係るシリンダー錠（ピンタンブラー錠）ＣＹＫは、図１に示すように、施錠および解錠操作を行うための鍵部材１と、この鍵部材１が挿入される鍵挿入孔（鍵穴）２１ａを備えた鍵本体２とから構成される。
【００１６】
鍵部材１は、人が手で持って鍵挿入孔２１ｂに挿入して回転させて、鍵本体２の施錠および解錠を行うためのもので、把持部１１と挿入部１２とをネジ１４により結合して構成される。把持部１１は例えば樹脂成形により図示のように指で持ちやすい形状になっている。挿入部１２は円筒状に形成され、先端部には弦状に切除された平面を有する回転伝達部１７が形成されている（図５、図７、図９参照）。挿入部１２の外周面１２ａには、周方向に位置がずれ、それぞれ軸方向に並んだ４つずつの鍵溝１５が形成されている。鍵溝１５は球面状の凹部から形成されており、この形成位置が各鍵部材１においてそれぞれ異なっており、鍵としての役割を果たすようになっている。
【００１７】
鍵部材１により施錠および解錠が行われる鍵本体２は、鍵部材１の挿入部１２が挿入される鍵挿入孔（鍵穴）２１ｂが形成された全体として円筒状の内筒２０と、内筒２０を覆って且つこれと相対回転自在に取り付けられる外筒３０と、内筒２０および外筒３０の内部に取り付けられるロック機構５０とを備えて構成される。
【００１８】
内筒２０は、図２、図３等に示されるように、円筒状の外周面２１ａを有する内筒本体部２１と、内筒本体部２１の軸方向後側に位置するこれより小径の円筒状のテール部２２とを備える。テール部２２の外周面に雄ネジが形成されており、これにワッシャ６２、６３を挟んでナット６１が取り付け可能であり、これらを用いて鍵本体２を取付対象に取り付けるようになっている。内筒本体部２１には、軸方向前側に開口する円筒状の鍵挿入孔２１ｂが形成され、外周面２１ａから径方向内方に伸びて鍵挿入孔２１ｂまで貫通する内筒側コードピン孔２３が形成されている。内筒側コードピン孔２３は、周方向に約１８０度ずれ、それぞれ軸方向に並んで４つずつ２組（合計８つ）形成されており、上記鍵溝１５に対応する位置関係を有する。内筒側コードピン孔２３はそれぞれ、内径側に位置する内筒側小径ピン孔２３ａと、これより外径側に位置して径が若干大きい内筒側大径ピン孔２３ｂとが同軸に繋がる形で形成されている。また、内筒部本体２１の前端には内筒フランジ２１ｃが形成されている。
【００１９】
鍵挿入孔２１ｂの後部でテール部２２の前側に位置して、内筒本体部２１に、軸心からオフセットして軸直角方向に平行に延びる二つの駆動部材取付孔２４が図３、図９等に示すように形成されており、ここにそれぞれ係合ピン２５が挿入されている。駆動部材取付孔２４の一部は鍵挿入孔２１ｂ内に入り込んで形成されており、ここに挿入された係合ピン２５は図３に示すように一部が鍵挿入孔２１ｂ内に突出している。
【００２０】
外筒３０は、前後に貫通する内筒受容孔３１ｂを有して全体として円筒状の外筒本体部３１を有し、外筒本体３１の前端に外筒フランジ３４が形成されている。外筒本体部３１には、外周面３１ａから径方向内方に伸びて内筒受容孔３１ｂに貫通する外筒側コードピン孔３２が形成されている。外筒側コードピン孔３２は、周方向に約１８０度ずれ、それぞれ軸方向に並んで４つずつ２組（合計８つ）形成されており、内筒側大径ピン孔２３ｂと同一径で内筒側コードピン孔２３に対応する位置関係を有する。これら軸方向に並んだ４つの外筒側コードピン孔３２の外周端を繋がるようにして、軸方向に延びる蓋取付溝３３が形成されており、この蓋取付溝３３には板状の蓋５５が取り付けられるようになっている。
【００２１】
ロック機構５０は、例えば図３および図４に示すように、内筒側コードピン孔２３内に挿入配置されるアンダーピン５１と、アンダーピン５１の外周側に配置されるドライバーピン５２と、ドライバーピン５２の外周側に配置されて蓋取付溝３３に取り付けられた蓋５５により覆われて取り付けられるスプリング５３とを有する。アンダーピン５１は内筒側小径ピン孔２３ａに嵌合する大きさで内端が半球状の突出部５１ａと、内筒側大径ピン孔２３ｂに嵌合する大きさのフランジ部５１ｂとを有する。ドライバーピン５２は円筒状で外筒側コードピン孔３２および内筒側大径ピン孔２３ｂに嵌合する大きさである。
【００２２】
鍵本体２は、内筒受容孔３１ｂ内に内筒２０を挿入して外筒３０内に内筒２０を回転可能に受容し、にロック機構５０を組み込んで作られる。内筒２０は外筒３０の内筒受容孔３１ｂ内に前側からフランジ部２１ｃが外筒３０の前端面に当接するまで挿入され、内筒２０の外周面２１ａの後部に形成されたスナップリング溝に取り付けられたスナップリング３８により前後移動が規制され、互いに相対回転可能となって組み立てられる。そして外筒３０に対する内筒２０の回転位置を調整して外筒側コードピン孔３２と内筒側コードピン孔２３とを位置整合させる。この状態で、外周側から各外筒側コードピン孔３２内にアンダーピン５１を挿入し、続けてドライバーピン５２を挿入し、さらにスプリング５３を挿入する。そして、蓋取付溝３３に後側から蓋５５を挿入して取り付けることにより、図３および図４に示すように、鍵本体２が組み立てられる。
【００２３】
以上説明した組立構成を有する鍵本体２を、鍵部材１を用いて施錠および解錠する作動について説明する。なお、鍵本体２は外筒３０をロック対象物に取り付け、内筒２０のテール部２２にロック部材を取り付けて構成され、鍵部材１を用いて内筒２０を回転させることによりテール部２２に取り付けられたロック部材を回転させ、これをロック相手対象物の被係合部に係合させてロック（施錠）し、ロック部材を逆回転させてアンロック（解錠）する。このときの外筒３０に対する内筒２０の回転を規制したり許容したりするためにロック機構５０があるが、外筒３０の内筒受容孔３１ｂと内筒２０の外周面２１ａとの円筒状嵌合面に跨がるようにロック部材（アンダーピン５１およびドライバーピン５２）を位置させて、外筒３０に対する内筒２０の回転を規制する構成となっている。このため、この円筒状嵌合面が重要であり、これをシェア面と称し、さらに図３の断面におけるシェア面を示す線をシェアラインと称して説明する。
【００２４】
まず、上述のようにして図３および図４に示すように鍵本体２を組み立てた状態では、アンダーピン５１は内筒側コードピン孔２３内に入り込み、突出部５１ａが内筒側小径ピン孔２３ａに嵌入して内端が鍵挿入孔２１ｂ内に突出するとともにフランジ部５１ｂが内筒側大径ピン孔２３ｂに嵌入して内筒側小径ピン孔２３ａと当接する。この状態ではフランジ部５１ｂの外周端面は内筒側大径ピン孔２３ｂの外周端より内径側に位置し、ドライバーピン５２の一部が内筒側大径ピン孔２３ｂに入り込み、残りの部分が外筒側コードピン孔３２内に位置する。すなわち、ドライバーピン５２が内筒側大径ピン孔２３ｂおよび外筒側コードピン孔３２に跨がって位置し、シェア面もしくはシェアラインをドライバーピン５２が跨ぎ、外筒３０に対する内筒２０の回転が規制される。このときスプリング５
３がドライバーピン５２を内径側に押圧し、この位置関係を維持する。
【００２５】
この状態から鍵部材１を鍵挿入孔２１ｂに挿入して内筒２０を回転させる作動を以下に説明する。図３および図４に示す状態から鍵部材１の挿入部１２を鍵挿入孔２１ｂ内に半挿入した状態を図５および図６に示している。鍵挿入孔２１ｂの内径は挿入部１２より僅かに大きく、挿入部１２が鍵挿入孔２１ｂ内に案内されてスムーズに挿入できるようになっている。すなわち、鍵挿入孔２１ｂが挿入部１２の挿入を案内するガイド部として機能する。このとき、挿入部１２は鍵挿入孔２１ｂにより軸方向移動はガイドされるが、鍵挿入孔２１ｂ内で自由に回転可能である。挿入部１２を鍵挿入孔２１ｂに挿入すると、その先端部が鍵挿入孔２１ｂ内に突出しているアンダーピン５１の突出部５１ａをスプリング５３に抗して外径側に押し出す。図５にこの状態を例示しており、前側の二つのアンダーピン５１の突出部５１ａが挿入部１２の外周に当接して外径側に押し出されている。このとき、アンダーピン５１のフランジ部５１ｂが内筒側大径ピン孔２３ｂおよび外筒側コードピン孔３２に跨がって位置する。すなわち、フランジ部５１ｂがシェア面もしくはシェアラインを跨ぎ、外筒３０に対する内筒２０の回転が規制される。この状態では、挿入部１２は鍵挿入孔２１ｂ内で自由に回転可能であり、把持部１１を持って鍵部材１を回しても空回りするだけで、内筒２０に回転駆動力は伝達されず、鍵部材１を鍵挿入孔２１ｂにスムーズに挿入可能である。
【００２６】
この状態から挿入部１２（鍵部材１）を鍵挿入孔２１ｂにさらに挿入すると、挿入部１２の先端に形成された回転伝達部１７が係合ピン２５と当接する。回転伝達部１７は弦状に切除された平面を有して構成されるため、挿入部１２（鍵部材１）を、図９に示すように回転伝達部１７が係合ピン１９の外周面と当接する回転位置（これを「施錠・解錠回転位置」と称する）に位置させたときにのみ、挿入部１２をさらに挿入可能である。
【００２７】
挿入部１２を施錠・解錠回転位置に位置させて鍵挿入孔２１ｂ内にさらに挿入させ、完全挿入した状態を図７および図８に示している。この状態では、回転伝達部１７が係合ピン２５と当接して両者が係合し、回転伝達部１７から内筒２０に回転トルクを伝達可能である。同時に、挿入部１２の外周面１２ａに形成された複数（８つ）の鍵溝部１５にアンダーピン５１の突出部５１ａが入り込み、アンダーピン１５およびドライバーピン５２がスプリング５３の付勢により内周側に移動する。これにより、アンダーピン１５およびドライバーピン５２の当接面がシェア面（シェアライン）に位置整合するように構成されており、内筒２０が外筒３０内で回転可能となる。このため、上記のようにして鍵部材１を鍵挿入孔１７に完全に挿入してこれを回転させると内筒２０を一緒に回転させることができ、テール部２２に取り付けられたロック部材を回転させ、ロック相手対象物に対する施錠および解錠を行うことができる。
【００２８】
以上説明したように、鍵部材１の挿入部１２を、鍵本体２の鍵挿入孔２１ｂに挿入するときに鍵挿入孔２１ｂにより挿入部１２がガイドされてスムーズに挿入できる。このとき、挿入部１２を半挿入しただけでは、鍵部材１を回しても挿入部１２が鍵挿入孔２１ｂ内で空回りするだけで内筒２０に回転トルクが伝達されることがなく、ロック機構５０に負荷がかからない。このため、ロック機構５０の摩耗、損傷を抑えることができる。また、鍵挿入孔２１ｂの奥に係合ピン２５を配置し、鍵挿入孔２１ｂの入り口から係合ピン２５に至るまでの部分には挿入部１２との係合構成を設けていない。このため、ピッキングによる不正解錠を行おうとしてテンションツールを鍵挿入孔２１ｂに挿入しても、テンションツールから内筒２０に回転トルクを作用させるのが非常に難しく、ピッキングを効果的に防止できる。
【００２９】
なお、以上説明した実施形態では鍵挿入孔２０ｂを円筒状に形成しているが、ピッキングによる不正解錠を防止するという観点からこれを多角柱形状とし、挿入部を多角柱形状
空間内で回転可能な形状としても良い。すなわち、鍵挿入孔および挿入部の形状は、挿入部を鍵挿入孔に挿入したときに回転自在であり、挿入完了に近づく位置で挿入部先端が鍵挿入孔の奥に位置する係合部と係合する機能を有する構成であれば良い。また、挿入部先端を鍵挿入孔の奥の係合部と係合させる構成についても、上記実施形態に限られるものではなく、所定回転位置（施錠・解錠回転位置）に位置決めして両者を回転方向に係合させる機能を有する構成であれば何でも良い。
【００３０】
また、本実施形態では、周方向にずれた２組の鍵溝１５が形成されているが、これが１組でも、３組以上でも構わず、軸方向に４つの鍵溝１５が形成されているが、この数もいつくであっても良い。当然ながら、これに対応して、内筒側コードピン孔２３、外筒側コードピン孔３２およびロック機構５０が設けられる。
【００３１】
上記実施形態ではピンタンブラー錠を例に挙げて説明したが、本発明の対象となるシリンダー錠はこれに限られるものではなく、ディスクシリンダー錠など他の形式のシリンダー錠も対象となるものである。
【符号の説明】
【００３２】
ＣＹＫ  シリンダー錠                １    鍵部材
２      鍵本体                      ２０  内筒
３０    外筒                        ５０  ロック機構
【図１】
2017008599.tif 000003
【図２】
2017008599.tif 000004
【図３】
2017008599.tif 000005
【図４】
2017008599.tif 000006
【図５】
2017008599.tif 000007
【図６】
2017008599.tif 000008
【図７】
2017008599.tif 000009
【図８】
2017008599.tif 000010
【図９】
2017008599.tif 000011